(57)【要約】【課題】    サッシ窓枠高さＣａはかなり高さの違いが有り全てのドアに共用できるドア用補助ロック具を考える事は非常に難しい、更にサッシドアには左開き用と右開き用が有り、その為に複雑で対応が難しく、その上にサッシ枠は全て金属で出来ている為に補助施錠具等の取付けも大変である。【解決手段】    どんな窓枠高さＣａにも対応出来る、階段型のロックアーム２を考案し更に右開き用、左開き用にも図７，図８で示す様に防犯施錠具アッセンブリ２０を９０度回して、逆取付けして対応出来る用に考案し又、防犯施錠具アッセンブリ２０の取付けも接着剤１３で貼り付ける方法と簡単にし、しかも日々の使用方法もいたって簡単で殆ど手間もかからずとても便利で、その上、防犯性も高く、画期的なサッシドア用防犯施錠具である。【選択図】図９
0003123002.tif 000002
【実用新案登録請求の範囲】
【請求項１】
一つの角をＲ状にした四角形の板状の施錠ベース（１）と階段型のロックアーム（２）と、この部品の連結用ロックアーム取付けボルト（３）及びロック時、解除時の位置決めボルト（４），（５）これらの部品を組立てた、ドア用防犯施錠具アッセンブリ（２０）を戸枠（Ｂ）に貼り付ける為の接着剤（１３）と高さ調整用平ワッシャ（１２）等の部品で構成され又、左開き用ドアの場合はアッセンブリ品（２０）を（図８）で示す様に９０度回して逆向きに取付けて使用でき、そしてアッセンブリ品（２０）を戸枠（Ｂ）に取付け後、ロックアーム（２）をロック位置決めボルト（４）に当る位置で窓枠（Ｃ）を押えてロックし、解除位置決めボルト（５）に当る位置でロックを解除し、ドアの開閉を行う機能を有するサッシドア用防犯施錠具。
【請求項２】
請求項１に記載の階段型ロックアーム（２）は、まちまちの窓枠高さ（Ｃａ）に合わせ使用出来る様にする為に（図３）で示す様に複数の階段群と逆側に一個の段部を設けこれを施錠ベース（１）に取付け窓枠（Ｃ）をいずれかの段部で確実に押えてドアをロックできる様にし又、窓枠高さ（Ｃａ）が施錠ベース（１）の板厚より低い場合は（図１０）の示す様にロックアーム（２）の上下を逆にして組付け使用でき、全てのサッシドアをロックし又、解除できる機能を有し本考案にはなくてはならない防犯施錠具用ロックアーム。
【考案の詳細な説明】
【技術分野】
【０００１】  本考案はサッシドア用防犯施錠具に関する。
【背景技術】
【０００２】  従来サッシドアを施錠する手段としてはシリンダー式錠が広く使用されている。これは鍵穴に凸凹の刻み込まれたキーを挿入して、内部に複数配置されている小さな棒状のタンプラーを移動させて解錠する、ところで、このシリンダー式錠を針金等をキー穴より差し込み正規のキーを挿入した時と同じ状態にして解錠されてしまう事が有り、シリンダー式錠について知識のある、いわゆるピッキング犯人等に簡単に解錠されて被害にあう恐れが有り又、防犯を目的にして一つのサッシドアに二個のシリンダー式錠をつけているものも有るが同じシリンダー式錠では上記の理由であまり効果が期待できない。【０００３】  又、サッシドアで窓ガラス入りの場合は本錠の周辺のガラス等をバーナーで焼き破り、そこから手を内側に入れられてしまう恐れが有り、この時は上記の様に錠が二個付いたドアでも、錠と錠の位置が近過ぎて一個所のガラスを焼き破られて二個の錠が解錠されて賊の侵入を許してしまう恐れのものも有り又、この提案は従来後付けタイプで手動でのドアをロックする、補助施錠具等は全く見当たらず、新しい画期的なサッシドア用防犯施錠具を提案する。
【考案の開示】
【０００４】
【特許文献】実用新案登録第３０９０１１８号
【考案が解決しようとする課題】
【０００５】しかしサッシドアの窓枠高さＣａはメーカー別、用途別等で、その高さにかなりの違いが有り、全ての窓枠Ｃを確実に押えてドアをロックする事は非常に難しく、更にサッシドアには右開き用、左開き用の２種類があり、その全てのサッシドアに対応出来るよう、補助施錠具を考える事は甚だ難しく又、サッシドアの戸枠Ｂは全てが金属でできている為に補助施錠具等は取り付けにくく、ドリルで穴をあけてタップでネジを切ってネジで止める等の取付け方法では、その作業は難しく、とても一般の人では無理である。
【０００６】又、近年、防犯目的で一個のサッシドアに二個のシリンダー式錠が付いているものも有りしかし、ピッキング犯人等は簡単に解錠してしまい、確実な効果が期待できない又、錠と錠の間隔が狭過ぎて一個所のガラス等を焼き破り犯人に破られ、そこから手を内側に入れられて一度に簡単に二個所の錠がはずされて賊の侵入を許してしまう恐れのあるものもある。
【課題が解決する為の手段】
【０００７】  本考案は窓枠高さＣａにはかなり違いが有り、その高さの違う全てのサッシ窓枠Ｃに対応するためには階段型ロックアーム２を考案し、その事により全てのサッシ窓枠Ｃを確実に押えてサッシドアをロック出来る様になり、そしてこのロックアーム２の取付け穴１１にロックアーム取付けボルト３を挿入して施錠ベース１のアーム取付けネジ穴７に挿入し軽く締めて連結し、ロック位置決めボルト４と解除位置決めボルト５を施錠ベース１の６，８のそれぞれのネジ穴に挿入し軽く締め付けて組立て、防犯施錠具アッセンブリ２０を作り、このアッセンブリ品（２０）を図９で示す様に戸枠Ｂに当ててロックアーム２と窓枠Ｃの高さを合せて見比べて取付け位置を決め、そこに接着剤１３で貼り付ける、しかしこの時にロックアーム２の階段群のどの段部とも窓枠Ｃの高さがうまく合わない時はロックアーム２と施錠ベース１との間に調整用平ワッシャー１２を一，二個はさんで微調整を行う。
【０００８】  そして防犯施錠具アッセンブリ２０を戸枠Ｂに取付け後、ロックアーム２をロック位置決めボルト４に当たる位置まで回し窓枠Ｃを押えサッシドアをロックし、今度はロックアーム２を解除位置決めボルト５に当たる位置まで回しロックを解除しサッシドアの開閉を行う、しかしサッシドアには右開き用、左開き用とが有りどちらにも共用できる様に工夫して図７，図８で示す様に防犯施錠具アッセンブリ２０を９０度回して逆向きに取付ける方法で対応できるようにし、全く同じ防犯施錠具アッセンブリ２０で全てのサッシドアに共用できる様に考案した。
【０００９】  しかし中には施錠ベース１の板厚より窓枠Ｃが低い場合があり、そうかといって施錠ベース１の板厚をより薄くすると強度的に不安な面もあり、強度を保ちながら低い窓枠Ｃでも確実に押える方法としてロックアーム２の先端部の逆側にも一個の段部を設けロックアーム２ａの形状にし、図１０で示す様にロックアーム２の上下を逆にして取付け、しかし、その事により今度はロックアーム２ａが施錠ベース１の右上角に当る様になり、その対策として施錠ベース１ａで示す様にその角をＲ状にしてロックアーム２と施錠ベース１との干渉防止を計り、全てのサッシドアに全く同じ防犯施錠具アッセンブリ２０で共通使用出来る様にした。
【００１０】  しかし、サッシドアの戸枠Ｂは全て金属でできている為に防犯施錠具アッセンブリ２０を取付けることは非常に難しい、簡単な取付け方法を求めて試行錯誤してようやく接着剤で貼り付ける方法に落着き、そこで防犯施錠具アッセンブリ２０の施錠具ベース１の下面と戸枠Ｂの接着面をきれいに拭き取り、そこにむらなく強力接着剤１３を塗布し、３分，４分間放置して乾燥させてから、そこに防犯施錠具アッセンブリ２０を装着し、粘着テープ等で固定し完全に強力接着剤１３を硬化させて取付ける又、この取付けを行う時はピッキング犯人や特に窓ガラス等の焼き破り犯には充分注意して、万一窓ガラス等を割れて手を中に入れられて同時に二個の本錠を解錠されてもこの防犯施錠具アッセンブリ２０を手の届かない位置に取付けてあれば被害を防止できる、尚乾燥時間及び硬化時間等は必ずメーカーの指示に従う、又材質は強化プラスチックかアルミ軽合金がよい中でも強化プラスチックは取付け面の面粗度、見ため、重さ、強度、加工方法等を加味して最良と考えられる。
【考案の効果】
【００１１】  本考案は全てのサッシドアに共用可能にした防犯施錠具アッセンブリ２０を戸枠Ｂに取付ける方法を強力接着剤１３で貼り付け方法にした、このことでネジ止めの為の穴あけ工事等は一切不要となり、非常に簡単に取付けられる様になり又、日々のサッシドアの開け閉めの時、ドアの本錠の開閉に合わせて、ロックアーム２をロック位置決めボルト４と解除位置決めボルト５の間を往復させるだけでいたって操作は簡単で毎日ドアの本錠と併用してもたいした手間も掛からず、使用するわずらわしさもなくて長く続けて使用する事が出来、その上防犯性も勝れていて、画期的なサッシドア用防犯施錠具であり、これを世に送り出して防犯に役立ちたい。
【００１２】尚防犯施錠具アッセンブリ２０を戸枠Ｂに取付ける時はドアの本錠より離して取付け、万一本錠の周囲のガラス等を破られ、手を内側に入れられても手が届かなければロックをはずされなくて済み又、ピッキング犯に対しても仮に二個の本錠が解錠されてもこのサッシドア用防犯施錠具で侵入を防ぎ、被害にあうことはない、尚侵入犯人は侵入前に大きい音とか五分以上の時間が掛かることは極端に嫌うと言われている、その意味でも大きな効果が期待できる。
【００１３】  しかしいくら防犯性能が良くても、あまり高価過ぎては手が届かず又、使いにくかったり、難しかったり、あまり時間が掛かる等では、すぐに使用しなくなり、その点、前にも述べた様に使用はいたって簡単で手間も殆ど掛からず便利でその上に構造が簡単に出来ていて故障又は不具合、破損等のトラブルは殆どない、ちなみに我家では約半年前より試作品を利用して家で三個あるサッシドア全てに取付けテスト使用中であり、未だに一件のトラブルも不具合の発生もなく、家内からも日々のドアの開け閉め時の操作も簡単で手間も殆ど掛からず、使用時のわずらわしさも全く気にならず、その上、防犯性はいちじるしく向上し、安心感も生まれて夜もぐっすり眠れる様になったと大変好評を得ている。
【００１４】  尚その他の効果として施錠ベース１に木製ドア取付け用予備穴９，１０が有りそこからネジで木製又はプラスチック製等のドアにも取付けて使用出来る様にして、全てのドアに共用できる構造にしてあり又、部品点数も少なく、加工も簡単で材料も少なく済み、非常に安価に提供出来る。
【考案を実施する為の最良の形態】
【００１５】  よって本考案に関わるサッシドア用防犯施錠具アッセンブリ２０は角の一つをＲにした四角形の板状の施錠ベース１と階段型のロックアーム２と、この連結用ロックアーム取付けボルト３及びロック位置決めボルト４、解除位置決めボルト５及び高さ調整用平ワッシャー１２とを組立てて、防犯施錠具アッセンブリ２０を作り、これを戸枠Ｂに貼り付ける為の強力接着剤１３とで構成されており、その中で施錠ベース１とロックアーム２とロックアーム取付けボルト３の三点はかなりの強度が必要である。
【００１６】  そこでロックアーム取付けボルト３をロックアーム２の取付け穴１１と必要によっては調整用平ワッシャー１２に挿入し施錠ベース１の取付けネジ穴７に挿入し軽く締めて、この部品を連結する、この時、ロックアーム２が軽く動く程度とし、ロック位置決めボルト４、解除位置決めボルト５を施錠ベース１のネジ穴６，８にそれぞれ挿入し施錠ベース１の下面に出ない程度まで締付けて防犯施錠具アッセンブリ２０を組立てアッセンブリ品を作る。
【００１７】  又防犯施錠具アッセンブリ２０を戸枠Ｂに貼り付ける時は施錠具ベース１の下面と戸枠Ｂの接着面の汚れ、ほこり、特に油汚れ等はきれいに拭き取り、そこに強力接着剤１３をむらなく塗布し三分ないし四分間くらい放置して乾燥してから図７で示す様に戸枠Ｂに装着し、粘着テープ等で固定し接着する、この時、はみ出した接着剤１３はきれいに拭き取り、接着剤１３の硬化するのを待つ、尚乾燥時間、硬化時間は必ずメーカー指示を厳守する、そして確実に硬化後にロックアーム位置決めボルト４に当るまで、手で回してロックアーム２で窓枠Ｃを押えてサッシドアをロックし、今度はロックアーム２を解除位置決めボルト５に当る位置まで回しロックを解除してサッシドアの開閉を行う。
【００１８】  又窓枠高さＣａはかなりの高さに違いがあり、その異なる全ての窓枠Ｃの高さと合うか見比べる為に防犯施錠具アッセンブリ２０を図９で示す様に戸枠Ｂの取付け面に仮置きしてロックアーム２の階段群の、どの段部と窓枠Ｃの高さと合うか確認する、しかし、どの段部も、うまく高さの合わない時は調整用平ワッシャー１２を１，２枚ロックアーム２と施錠ベース１の間にはさんで微調整を行い確実にロックアーム２で窓枠Ｃを押えてサッシドアをロック出来る位置に貼り付け又、窓枠高さＣａが施錠ベース１の板厚より低い場合が有り、その時は図１０で示す様にロックアーム２の上下を逆に組付けて取付け確実に窓枠Ｃをロックアーム２で押えるようにする。
【００１９】  しかし、サッシドアには右開き用と左開き用とが有り、この異なったタイプのサッシドアも共用できる様に工夫して図７，図８で示す様に防犯施錠具アッセンブリ２０を９０度回して逆向きにして戸枠Ｂに貼り付け、左右どちらにも共用でき、全てのサッシドアに対応出来るように考案し、尚、この防犯施錠具アッセンブリ２０を貼り付け使用する時は必ずサッシドアの本錠より離し、特に窓ガラス等を破って手を内側に入れ、解錠して侵入する手口の犯人でも、手さえ届かなければロックをはずされずに済み被害を受けずに済む、又、取付けも簡単で、しかも構造が又簡単なだけ故障、不具合も殆ど無く、しかも日々の使用方法で手間も殆ど掛からず、その上、防犯性も勝れた画期的なサッシドア用防犯施錠具である。
【図面の簡単な説明】
【００２０】
【図１】  本考案に関するサッシドア用防犯施錠具アッセンブリ（２０）の斜視図である。
【図２】  防犯施錠ベース（１）の斜視図である。
【図３】  ロックアーム（２）の斜視図である。
【図４】  （ａ）はロックアーム取付けボルト（３）（ｄ）は調整用平ワッシャー（１２）の斜視図である。
【図５】  （ａ）はロック位置決めボルト（４）（ｄ）は解除位置決めボルト（５）の斜視図である。
【図６】  強力接着剤（１３）の斜視図である。
【図７】  右開きサッシドアに防犯施錠具アッセンブリ（２０）の使用平面図である。
【図８】  左開きサッシドアに防犯施錠具アッセンブリ（２０）の使用平面図である。
【図９】  右開きサッシドアに防犯施錠具アッセンブリ（２０）の使用断面図である。
【図１０】  右開き用サッシドアにロックアーム（２）を逆組付け使用斜視図である。
【符号の説明】
【００２１】  １    防犯施錠ベース
２    ロックアーム
３    ロックアーム取付けボルト
４    ロック位置決めボルト
５    解除位置決めボルト
６    解除位置決め取付けネジ穴
７    ロックアーム取付けネジ穴
８    ロック位置決め取付けネジ穴
９    木製ドア用取付け予備穴
１０    木製ドア用取付け予備穴
１１    ロックアーム取付け穴
１２    調整用平ワッシャー
１３    強力接着剤
２０    サッシドア用防犯施錠具アッセンブリ
Ｂ    サッシ戸枠
Ｃ    サッシ窓枠
Ｄ    窓柱
【図１】
0003123002.tif 000003
【図２】
0003123002.tif 000004
【図３】
0003123002.tif 000005
【図４】
0003123002.tif 000006
【図５】
0003123002.tif 000007
【図６】
0003123002.tif 000008
【図７】
0003123002.tif 000009
【図８】
0003123002.tif 000010
【図９】
0003123002.tif 000011
【図１０】
0003123002.tif 000012
【手続補正書】
【提出日】平成18年4月24日(2006.4.24)
【手続補正１】
【補正対象書類名】実用新案登録請求の範囲
【補正対象項目名】全文
【補正方法】変更
【補正の内容】
【実用新案登録請求の範囲】
【請求項１】
戸枠（Ｂ）に固定される基板（１）と、一端が前記基板（１）に回動自在に枢着され他端には窓枠（Ｃ）の高さ（Ｃａ）の高低差に対応するため階段型に段差部（２ａ）を形成したロックアーム（２）と、からなることを特徴とする開き戸用サッシドアの防犯施錠具。
【請求項２】
前記ロックアーム（２）を施錠位置に係止する施錠位置決めボルト（５）と、解錠位置に係止する解錠位置決めボルト（４）を、前記基板（１）に立設したことを特徴とする請求項１に記載の開き戸用サッシドアの防犯施錠具。
【請求項３】
前記基板（１）を回転し前記開錠位置決めボルト（４）を施錠位置決めボルトとし、前記施錠位置ボルト（５）を開錠位置決めボルトとするとことを特徴とする請求項１又は請求項２に記載の開き戸用サッシドアの防犯施錠具。
【請求項４】
前記ロックアーム（２）の回動軌跡上にある基板（１）の角部（１ａ）を切除することを特徴とする請求項１〜請求項３のいずれかに記載の開き戸用サッシドアの防犯施錠具。
【請求項５】
前記基板（１）を戸枠（Ｂ）に接着剤（１３）を用い接着することを特徴とする請求項１〜請求項４のいずれかに記載の開き戸用サッシドアの防犯施錠具。
【請求項６】
前記ロックアーム（２）の段差部（２ａ）の背面にさらに段差部（２ｂ）を形成したことを特徴とする請求項１〜請求項４のいずれかに記載の開き戸用サッシドアの防犯施錠具。
【手続補正２】
【補正対象書類名】明細書
【補正対象項目名】全文
【補正方法】変更
【補正の内容】
【考案の詳細な説明】
【技術分野】
【０００１】  本考案はサッシドア、特に開き戸用サッシドア（以下サッシドアと略称する。）の防犯施錠具に関する。
【背景技術】
【０００２】  従来サッシュドアを施錠する手段としてはシリンダー式錠が広く使用されている。これは鍵穴に凹凸の刻み込まれたキーを挿入して、内部に複数配置されている小さな棒状のタンブラーを移動させて解錠する。ところでこのシリンダー式錠に針金等をキー穴より差し込み、正規のキーを挿入したと同じ状態にして、解錠されてしまうことがあり、シリンダー式錠についての知識のある、いわゆるピッキング犯人等に、簡単に解錠されてし被害にあうおそれがある。また、防犯を目的として、一つのサッシドアに２個のシリンダ錠をつけているものもあるが、同じシリンダー式錠では、上記の理由で、あまり効果が期待出来ない。【０００３】  また、サッシドアで窓ガラス入りの場合は、本錠の周辺のガラス等をバーナーで焼き破り、そこから手を内側に入れられてしまう恐れがあり、この時はは上記のように錠が２個ついたドアでも、錠と錠の位置が近すぎて一カ所のガラスを焼き破られて、二個の錠が解錠されて、賊の侵入を許してしまうものもあり、またこの提案は従来後付けタイプで手動でのドアをロックする補助施錠具等は全く見当たらず、新しい画期的なサッシドア用防犯施錠具を提案する。【特許文献１】実用新案登録第３０９０１１８号
【考案の開示】
【考案が解決しようとする課題】
【０００４】 従来用いられているサッシドアの要部の断面を図５に示す。図５において、Ｄは開口部を構成する窓柱であって、この窓柱Ｄには窓枠Ｃが嵌められる。この窓枠Ｃの外側部Ｃｃは、窓柱Ｄの外側に添わされるが、中間部Ｃｂは窓柱Ｄに沿って内側に折り曲げられ、開口部を構成する。Ｃ柱内側Ｃａは開口部の内側に突出し、戸当たりを構成する。Ｂは開き戸の戸枠であって、閉扉時には戸当たりＣａに当接する。基板１は閉扉時に戸当たりＣａと干渉しない位置に、接着剤１３またはロックアーム取りつけボルトにより、戸枠Ｂに固定されている。ロックアーム２は、ロックアーム取り付けボルト３によって、基板１に回動自在に取り付けられる。さらに、ロックアーム２は、基板１に突出固定された施錠位置決めボルト４により施錠位置に係止され、解錠位置決めボルト５により、解錠位置に係止される。  しかしサッシドアの戸当たりの高さＣａは、メーカー別、用途別等でその高さにかなりの違いがあり、全ての窓枠Ｃを確実に押さえてドアをロックすることは非常に難しく、さらにサッシドアには右開き用、左開き用の２種類があり、その全てのサッシドアに対応出来るよう、補助施錠具を考えることは甚だ難しくまた、サッシドアの戸枠Ｂは、全てが金属でできている為に補助施錠具等は取り付けにくく、ドリルで穴をあけてタップでネジを切ってネジで止める等の取り付け方法では、その作業は難しく、とても一般の人では無理である。【０００５】  また、近年防犯目的で一個のサッシドアに二個のシリンダー錠がついているものもある。しかし、ピッキング犯人等は簡単に解錠してしまい、確実な効果が期待出来ない。また、錠と錠の間隔が狭すぎて、一カ所のガラスを焼き破り犯人に破られ、そこから手を内側に入れられて、一度に簡単な二カ所の錠が外されて賊の侵入を許してしまう恐れがあるものもある。
【課題を解決するための手段】
【０００６】 請求項１に記載の開き戸用防犯施錠具の考案は、戸枠（Ｂ）に固定される基板（１）と、一端が前記基板（１）に回動自在に枢着され他端には窓枠（Ｃ）の高さ（Ｃａ）の高低差に対応するため階段型に段差部（２ａ）を形成したロックアーム（２）と、からなることを特徴とする。 請求項２に記載の開き戸用防犯施錠具の考案は、請求項１に記載の考案において、前記ロックアーム（２）を施錠位置に係止する施錠位置決めボルト（５）と、解錠位置に係止する解錠位置決めボルト（４）を、前記基板（１）に立設したことを特徴とする。 請求項３に記載の開き戸用防犯施錠具の考案は、請求項１又は請求項２に記載の開き戸用防犯施錠具考案において、前記基板（１）を回転し前記開錠位置決めボルト（４）を施錠位置決めボルトとし、前記施錠位置ボルト（５）を開錠位置決めボルトとするとことを特徴とする。 請求項４に記載の開き戸用防犯施錠具の考案は、請求項１〜請求項３のいずれかに記載の開き戸用防犯施錠具の考案おいて、前記ロックアーム（２）の回動軌跡上にある基板（１）の角部（１ａ）を切除することを特徴とする。 請求項５に記載の開き戸用防犯施錠具の考案は、請求項１〜請求項４のいずれかに記載の考案において、前記基板（１）を戸枠（Ｂ）に接着剤（１３）を用い接着することを特徴とする。 請求項６に記載の開き戸用防犯施錠具の考案は、請求項１〜請求項５のいずれかに記載の考案において、前記ロックアーム（２）の段差部（２ａ）の背面にさらに段差部（２ｂ）を形成したことを特徴とする。  本考案は窓枠の戸あたりの高さＣａにはかなり違いがあり、その高さの違う全てのサッシ窓枠Ｃに対応するためにロックアーム２の先端に階段型の段差部２ａを形成すること着想し、その事により全てのサッシ枠Ｃを確実に押さえてサッシドアをロック出来るようになり、そしてこのロックアーム２の取り付け穴１１にロックアーム取り付けボルト３を挿入して施錠ベースとなる基板１のアーム取付けネジ穴７に挿入し軽く締めて連結し、ロック位置決めボルト４と解除位置決めボルト５を施錠ベースとなる基板１のそれぞれのネジ穴に挿入し軽く締め付けて組み立て、防犯施錠具アッセンブリ２０を作り、このアッセンブリ（２０）を図３または図４で示すように戸枠Ｂに当ててロックアーム２と窓枠Ｃの高さを合わせて見比べて取りつけ位置を決め、そこに接着剤１３で貼り付ける。しかしこの時にロックアーム２の階段群のどの段部群のどの段部とも窓枠Ｃの高さがうまく合わない時はロックアーム２と施錠ベース１との間に調整用平ワッシャー１２を一二個はさんで微調整をおこなう。【０００７】  そして防犯施錠アンセンブリ２０を戸枠Ｂに取り付け後、ロックアーム２を解錠位置決めボルト４に当たる位置まで回し窓枠Ｃを押さえサッシドアをロックし、今度はロックアーム２を解除位置決めボルト５に当たる位置まで回しロックを解除しサッシドアの開閉を行う。しかしサッシドアには右開き、左開き用とがあり、どちらにも共用出来るように工夫しある。図７、図８に示すように防犯アッセンブリ２０を９０°回して逆向きに取り付ける方法で対応出来るようにし、全く同じ防犯施錠具アッセンブリ２０で全てのサッシドアに共用出来るように考案した。【０００８】  しかし中には施錠ベース１の板厚より窓枠Ｃが低い場合があり、そうかといって施錠ベース１の板厚より低くすると強度的に不安な面もあり、強度を保ちながら低い窓枠Ｃでも確実に押さえる方法として、ロックアーム２の先端部の逆側にも一個の段部２を設けロックアーム２ａの形状にし、図１０に示すようにロックアーム２の上下を逆にして取り付け、しかし、その事により今度はロックアーム２ａが施錠ベース１の右角に当たるようになり、その対策として施錠ベース１ａでしめすようにその角をＲ状にしてロックアーム２と施錠ベース１との干渉を計り、全てのサッシドアに全く同じ防犯施錠具アッセンブリ２０で共通使用出来るようにした。【０００９】  しかしサッシドアの戸枠Ｂは、全て金属でできているために、防犯施錠具アッセンブリ２０を取り付けることは非常に難しい。簡単な取り付け方法を試行錯誤して、ようやく接着剤で貼り付ける方法に落ち着き、そこで防犯施錠具アッセンブリ２０の施錠具ベース１の下面と戸枠Ｂの接着面をきれいに拭き取り、そこにむらなく強力接着剤１３を塗布し、３〜４分間放置して乾燥させてから、そこに防犯施錠具アッセンブリ２０を装着し、粘着テープ等で固定し完全に強力接着剤１３を取りつける。またこの取付を行うときは、ピッキング犯人や、特に窓ガラス等の焼き破り犯には充分に注意して、万一窓ガラス等を割られて手をなかに入れられて、同時に二個の本錠を解錠されても、この防犯施錠具アッセンブリ２０を手の届かない位置に取り付けてあれば、被害を防止出来る。尚、乾燥時間及び硬化時間は必ずメーカーの指示に従う。また、材質は強化プラスチックかアルミ軽合金がよい。中でも強化プラスチックは、取り付け面の面祖度、見た目、重さ、強度、加工方法等を加味して最強良と考えられる。
【考案の効果】
【００１０】  本考案は全てのサッシドアに、共用可能にした防犯施錠具アッセンブリ２０を、戸枠Ｂに取り付ける方法を強力接着剤１３で、貼り付け方法にした。このことでネジ止めのための穴あけ工程等は一切不要となり、非常に簡単に取り付けられるようになり、また、日々のサッシドアの開け閉めのとき、ドアの本錠の開閉に合わせて、ロックアーム２をロック位置決めボルト４と解錠位置決めボルト５の間を往復させるだけで、いたって操作は簡単で、毎日ドアの本錠と併用しても、大した手間も掛からず、長く続けて使用することができ、その上防犯性も優れていて、画期的なサッシドア用防犯施錠具であり、これを世に送り出して防犯に役立ちたい。【００１１】  なお、防犯施錠具アセンブリ２０を戸枠Ｂに取り付けるときはドアの本錠より離して取り付け、万一本錠の周囲のガラス等を破られ、手を内側に入れられても手が届かなければ、ロックを外されなくても済み、またピッキング犯に対しても仮に２個の本錠が解錠されても、このサッシドア用防犯施錠具で進入を防ぎ、被害にあうことはない。尚侵入犯人は侵入前に大きい音とか５分以上の時間が掛かることは極端に嫌うと言われている。その意味でも大きな効果が期待できる。【００１２】  しかし、いくら防犯性能が良くても、あまり高価過ぎては手は届かず、また使いにくかったり、難しかったり、あまり時間が掛かる等では、すぐに使用しなくなり、その点前にも述べたように、使用は至って簡単で、手間も殆ど掛からず、便利でその上構造が簡単に出来ていて故障または不具合、破損等のトラブルは殆ど無い。因みにわが家では約半年前より試作品を利用して家で三個あるサッシドア３個にあるサッシドア全てに取り付けテスト使用中であり、未だに一件のトラブルも不具合の発生もなく、家内からも日々のドアの開け閉め時の操作も簡単で手間も殆ど掛からず、使用時のわずらわしさも全く気にならず、その上防犯性は著しく向上し、安心感も生まれて夜もぐっすり眠れるようになったと、大変好評を得ている。【００１３】  尚その他の効果として、施錠ベース１に木製ドア取りつけ用予備穴９、１０が有り、そこから木製またはプラスチック製の等のドアに取りつけて使用出来るようにして、全てのドアに共用出来る構造にし、また、部品点数も少なく、加工も簡単で材料も少なくて済み、非常に安価に提供出来る。
【考案を実施するための最良の形態】
【００１４】  よって本考案に関わるサッシドア用防犯施錠アッセンブリ２０は、角の一つをＲにした四角形の板状の施錠ベース１と、階段型のロックアーム２と、この連結用ロックアーム取り付けボルト３、及びロック位置決めボルト４、解錠位置決めボルト５及び高さ調整用平ワッシャー１２とを組み立てて、防犯施錠具アッセンブリ２０を作り、これを戸枠Ｂに貼り付けるための強力接着剤１３とで構成されており、その中で施錠ベース１とロックアーム２とロックアーム取り付けボルト３の三点はかなりの強度が必要である。【００１５】  そこでロックアーム取り付けボルト３をロックアーム２の取り付け穴１１と、必要によっては調整用平ワッシャー１２に挿入し、施錠ベース１の取り付けネジ穴７に挿入し軽く締めて、この部品を連結する。この時ロックアーム２が軽く動く程度とし、ロック位置決めボルト４，解除位置決めボルト５を施錠ベース１のネジ穴６、８にそれぞれ挿入し、施錠ベース１の下面に出ない程度まで締め付けて防犯施錠具アッセンブリ品２０を作る。【００１６】  また、防犯施錠具アッセンブリ２０を戸枠Ｂに貼り付けるときは、施錠具ベース１の下面と、戸枠Ｂの接着面の汚れ、ほこり、特に油汚れ等はきれいに拭き取り、そこで強力接着剤１３をむらなく塗布し、３分〜４分くらい放置し乾燥してから図７で示すように、戸枠Ｂに装着し、粘着テープ等で固定し接着する。この時、はみ出した接着剤１３はきれいに拭き取り、接着剤１３の硬化するのを待つ。尚乾燥時間、硬化時間は必ずメーカー指示を厳守する。そして確実に硬化後に、ロックアーム位置決めボルト４に当たるまで、手で回してロックアーム２で窓枠Ｃを押さえて、サッシドアをロックし、今度はロックアーム２を解除位置決めボルト５に当たる位置まで回し、ロックを解除して、サッシドアの開閉を行う。【００１７】  また、窓枠高さＣａは、かなりの高さに違いがあり、その異なる全ての窓枠Ｃの高さと合うか見比べるために、防犯施錠アッセンブリ２０を図９で示すように、戸枠Ｂの取り付け面に仮置きし、ロックアーム２の階段群のどの段部と、窓枠Ｃの高さと合うか確認する。しかし、どの段部もうまく高さの合わないときは調整用平ワッシャー１２を１〜２枚ロックアーム２と施錠ベース１との間に挟んで、微調整を行い、確実にロックアーム２で、窓枠Ｃを押さえてサッシドアをロック出来る位置に貼り付け、また窓枠高さＣａが施錠ベース１の板圧より低い場合があり、その時は図１０で示すように、ロックアーム２の上下を逆に組み付け、取り付け確実に窓枠Ｃをロックアーム２で押さえるようにする。【００１８】  しかしサッシドアには、右開き用と左開き用とがあり、この異なったタイプのサッシドアも共用出来るように工夫してある。図２は右ドアに本考案の施錠具を取り付けた状態の正面図であり、図４は左ドアに本考案の施錠具を取り付けた状態の正面図でる。すなわち、防犯施錠アッセンブリ２０を９０°回して、逆向きにして戸枠Ｂに貼り付け、左右どちらにも共用出来全てのサッシドアに対応出来るように考案されている。尚、この防犯施錠具アッセンブリ２０を貼り付け使用するときは、必ず本錠より離し 、特に窓ガラス等を破って手を内側に入れ、解錠して侵入する手口の犯��でも、手さえ届かなければロックを外されずに済み、被害を受けずに済む。また、取り付けも簡単で、しかも構造が簡単なだけに故障、不具合も殆ど無く、しかも日々の使用方法で手間も殆ど掛からず、その上防犯性も優れた画期的なサッシドア用防犯施錠具である。
【図面の簡単な説明】
【００１９】
【図１】本考案のサッシドア用防犯施錠具アッセンブリ（２０）の斜視図である。
【図２】本校案のサッシドア用防犯施錠具を右開きのサッシドアに取り付けた状態の正面図である。
【図３】図２のＡ−Ａ線の断面図である。
【図４】本考案のサッシドア用防犯施錠具を左開きのサッシドアに取り付けた状態の正面図である。
【図５】従来のサッシドア用防犯施錠具をサッシドアに取り付け状態の施錠部分の断面図である。
【符号の説明】
【００２０】          B・・・・・・戸枠          C・・・・・・窓枠          Ca・・・・・ 戸当たり部の窓枠高さ          D・・・・・・窓柱          １・・・・・・基板          ２・・・・・・ロックアーム          ２ａ・・・・・階段状段差部          ２ｂ・・・・・背面の段差部          ３・・・・・・ロックアーム取り付けボルト          ４・・・・・・ロック位置決めボルト          ５・・・・・・解除位置決めボルト          ６・・・・・・基板の取り付けねじ穴          ７・・・・・・アーム取り付けねじ穴          ８・・・・・・基板の取り付けねじ穴          ９・・・・・・基板の取り付けボルト        １０・・・・・・基板の取り付けボルト        １２・・・・・・調整用平ワッシャ        １３・・・・・・接着剤        ２０・・・・・・アッセンブリ品
【手続補正３】
【補正対象書類名】図面
【補正対象項目名】全図
【補正方法】変更
【補正の内容】
【図１】
0003123002.tif 000013
【図２】
0003123002.tif 000014
【図３】
0003123002.tif 000015
【図４】
0003123002.tif 000016
【図５】
0003123002.tif 000017